(57)【特許請求の範囲】
【請求項１】
物品搬送用の搬送ローラ（３）を両側から挟むように搬送経路（Ａ）に沿って設けられ、電気配線（９）を収容するための開口した収容部（２Ａ）を有する本体フレーム（２）と、
前記本体フレーム（２）の収容部（２Ａ）内において前記本体フレーム（２）と係合可能な係合部（５Ｃ）と、
前記本体フレーム（２）の収容部（２Ａ）を仕切るための棚状の仕切り部（５ｂ）とを有する仕切り部材（５）と、
前記本体フレーム（２）の収容部（２Ａ）の開口部（２Ｂ）を覆う形状及び大きさに形成され、前記仕切り部材（５）の仕切り部（５ｂ）と係合可能なフレームカバー（６）と
を備えるコンベヤフレームであって、
前記本体フレーム（２）に、前記仕切り部材（５）の係合部（５Ｃ）と係合可能な係合孔（２０ａ）が搬送経路（Ａ）方向に沿って複数設けられていることを特徴とするコンベヤフレーム。
【発明の詳細な説明】
【０００１】
【発明の属する技術分野】
本発明は、例えば、ローラコンベヤにおいて、搬送ローラを支持するコンベヤフレームに関し、特に、電気配線を収容可能なコンベヤフレームに関する。
【０００２】
【従来の技術】
従来、物品を搬送経路に沿って搬送する装置として、例えば、図５（ａ）に示すようなローラコンベヤ１０１が知られている。このローラコンベヤ１０１においては、コンベヤフレーム１０２が搬送ローラ１０３をその両側から回動自在に支持するように構成されている。
【０００３】
コンベヤフレーム１０２は、所定の搬送経路に沿って延びるように形成され、図５（ｂ）に示すように、例えば鋼板に曲げ加工を施すことにより断面略Ｃ字形状に形成されている。これにより、コンベヤフレーム１０２には、外方側面に開口部１０２ｂを有する内部空間１０２ａが形成されている。
【０００４】
このコンベヤフレーム１０２の内部空間１０２ａには複数の電気配線１０４が配置され、コンベヤフレーム１０２の開口部１０２ｂを例えば樹脂からなるフレームカバー（図示せず）で覆うことによって、電気配線１０４は外部に露出しないようになっている。
【０００５】
【発明が解決しようとする課題】
ところで、従来、電気配線１０４がコンベヤフレーム１０２の収容部１０２ａ内で一箇所に溜まることを防ぐため、上述のカバーフレームの内面に棚状の仕切り部を複数設けたものも提案されている（本出願人の特許第２８０５４３３号公報参照）。
【０００６】
この従来例においては、フレームカバーの各仕切り部に電気配線をそれぞれ載置し、その状態で、フレームカバーをコンベヤフレームに取り付けるようになっており、これにより電気配線は、コンベヤフレームの収容部内で複数の部位に振り分けられる。
【０００７】
しかしながら、このような従来例の場合、コンベヤフレームの収容部内に電気配線を配置するには、電気配線をコンベヤフレームから離れる方向に引っ張ってたるませた状態でフレームカバーの各仕切り部に載置しなければならず、そのようにたるんだ電気配線を載置したフレームカバーをコンベヤフレームに装着する作業は困難で、コンベヤの施設作業性が悪いという問題があった。
【０００８】
本発明は、このような従来の技術の課題を解決するためになされたもので、電気配線の収容及びフレームカバーの装着作業を円滑に行うことができ、ひいてはコンベヤの施設作業性を向上しうるコンベヤフレームを提供することを目的とする。
【０００９】
【課題を解決するための手段】
上記目的を達成するためになされた請求項１記載の発明は、物品搬送用の搬送ローラ（３）を両側から挟むように搬送経路（Ａ）に沿って設けられ、電気配線（９）を収容するための開口した収容部（２Ａ）を有する本体フレーム（２）と、前記本体フレーム（２）の収容部（２Ａ）内において前記本体フレーム（２）と係合可能な係合部（５Ｃ）と、前記本体フレーム（２）の収容部（２Ａ）を仕切るための棚状の仕切り部（５ｂ）とを有する仕切り部材（５）と、前記本体フレーム（２）の収容部（２Ａ）の開口部（２Ｂ）を覆う形状及び大きさに形成され、前記仕切り部材（５）の仕切り部（５ｂ）と係合可能なフレームカバー（６）とを備えたことを特徴とするコンベヤフレームである。
【００１０】
請求項１記載の発明の場合、まず、本体フレーム（２）の収容部（２Ａ）に仕切り部材（５）を挿入して本体フレーム（２）に係合させる。次いで、複数の電気配線（９）を本体フレーム（２）の収容部（２Ａ）に収容する。この場合、収容部（２Ａ）内で仕切り部材（５）の仕切り部（５ｂ）によって複数に仕切られた部分のうちいずれか一つに各電気配線（９）を配置する。これにより複数の電気配線（９）は、本体フレーム（２）に沿って張られた状態で収容部（２Ａ）内においてほぼ均等に配分される。そして、フレームカバー（６）を仕切り部材（５）の仕切り部（５ｂ）に係合させることによって本体フレーム（２）の開口部（２Ｂ）が覆われる。
【００１１】
このように、請求項１記載の発明においては、仕切り部材（５）を本体フレーム（２）の収容部（２Ａ）内に配置するように構成したことから、電気配線（９）をたるませることなく本体フレーム（２）の収容部（２Ａ）に配置することができ、また、その状態でフレームカバー（６）を本体フレーム（２）に係合させることによって、フレームカバー（６）が電気配線（９）と接触することなくフレームカバー（６）を円滑に装着することができる。
【００１２】
また、本発明によれば、フレームカバー（６）を薄く構成することができるため、本体フレーム（２）が例えば搬送経路（Ａ）に沿って円弧状に曲げられる場合にフレームカバー（６）の装着が容易になる。
【００１３】
なお、本発明においては、仕切り部（５ｂ）のフレームカバー（６）との係合部分を本体フレーム（２）の開口部（２Ｂ）の近傍に設ければ、フレームカバー（６）と仕切り部材（５）の仕切り部（５ｂ）との係合が電気配線（９）から離れた位置で行われるため、フレームカバー（６）の装着をより円滑に行うことができる。
【００１４】
また、請求項２記載の発明のように、請求項１記載の発明において、本体フレーム（２）に、仕切り部材（５）の係合部（５Ｃ）と係合可能な係合孔（２０ａ）が搬送経路（Ａ）方向に沿って複数設けられていることも効果的である。
【００１５】
請求項２記載の発明によれば、仕切り部材（５）の係合部（５Ｃ）と係合する部分を容易に作成することができ、また、本体フレーム（２）が例えば搬送経路（Ａ）に沿って円弧状に曲げられる場合であっても、本体フレーム（２）を容易に加工することができる。
【００１６】
【発明の実施の形態】
以下、本発明に係るコンベヤフレームの実施の形態を図面を参照して詳細に説明する。
図１は、本実施の形態のコンベヤフレームを有するローラコンベヤの要部概略構成を示す斜視図である。図２は、本実施の形態のコンベヤフレームの内部構成を示す概略斜視図である。また、図３は、同コンベヤフレームの内部構成を示す断面図である。
【００１７】
さらに、図４（ａ）は、同コンベヤフレームにおいて本体フレームに取り付ける仕切り部材の概略構成及びその工程を説明するための図であり、図４（ｂ）は、同コンベヤフレームにおいて本体フレームに装着するフレームカバーの概略構成及びその工程を説明するための図である。
【００１８】
図１に示すように、本実施の形態のコンベヤフレーム１は、ローラコンベヤの搬送部１０に適用されるものであり、このコンベヤフレーム１は、一対をなして所定の間隔を保ちつつ搬送経路Ａに沿って延びるように配設されている。そして、後述するように、電気配線９がコンベヤフレーム１内に収容され引き回されるようになっている。
【００１９】
図１〜図３に示すように、各コンベヤフレーム１の上部には、複数の搬送ローラ３が、それぞれ回動可能に支持されている。
【００２０】
図２又は図３に示すように、本実施の形態のコンベヤフレーム１は、コンベヤフレーム１の骨格としての本体フレーム２と、本体フレーム２の内部に設けられる仕切り部材５と、本体フレーム２の両側面に設けられるフレームカバー６とから構成される。
【００２１】
本体フレーム２は、例えば鋼板に曲げ加工を施すことによって断面略コ字形状に形成されている。この場合、基部２ａの長手方向の両側縁に、同一の長さの曲げ部２ｂが基部２ａに対して直交する方向に形成されている。
【００２２】
そして、図２又は図４（ａ）に示すように、本体フレーム２には、搬送経路Ａの両側面側に開口部２Ｂを有する収容部２Ａが形成されている。
【００２３】
また、本体フレーム２の基部２ａには、例えば四角形状の係合孔２０ａ（２１ａ、２２ａ）が一定の間隔で複数個設けられている。
【００２４】
この係合孔２０ａは、本体フレーム２の長手方向に対して直交する方向に２個で一組の係合孔２１ａ、２２ａが配置されている。これらの係合孔２１ａ、２２ａは、本体フレーム２の長手方向に所定数配置されている。
【００２５】
図２、３又は図４（ａ）に示すように、仕切り部材５は、例えばＰＯＭ（ポリアセタール）樹脂等を用いて一体的に形成されている。ここで、仕切り部材５は、長方形平板状の基部５ａを有し、この基部５ａの一方の側面に棚状の仕切り部５ｂが設けられるとともに、基部５ａの他方の側面には、鈎状の係合部５ｃが設けられている。
【００２６】
本実施の形態の場合、仕切り部材５の基部５ａは、１組の係合孔２１ａ、２２ａを含む部分の面積より大きく形成されている。
【００２７】
仕切り部材５の仕切り部５ｂは、基部５ａの短辺と平行に長方形状に形成されている。この仕切り部５ｂは、所定の間隔をもって例えば２個配置されている。そして、各仕切り部５ｂの先端縁部には、断面略丸形状の係合端部５０ｂが形成されている。
【００２８】
ここで、仕切り部材５の各仕切り部５ｂの基部５ａに対する長さは、本体フレーム２の曲げ部２ｂより若干短くなるように形成されている。
【００２９】
図４（ａ）に示すように、仕切り部材５の係合部５ｃ（５１ｃ、５２ｃ）は、基部５ａの長辺方向に例えば２個配置されている。これら各係合部５１ｃ、５２ｃは、長方形状の連結部（５１１、５２１）及び係合面部（５１２、５２２）が連結された状態で断面略Ｌ字状に形成されている。この場合、各係合部５１ｃ、５２ｃの係合面部（５１２、５２２）は、基部５ａに対して平行に形成されている。
【００３０】
ここで、係合部５１ｃ、５２ｃは、本体フレーム２の係合孔２１ａ、２２ａの外形より若干小さく形成されている。また、係合部５１ｃと係合部５２ｃとの間隔は、本体フレーム２の係合孔２１ａと係合孔２２ａとのそれぞれの中心の間隔と同一になるように設定されている。さらに、係合部５１ｃ、５２ｃの係合面部５１２、５２２と基部５ａとの間隔は、本体フレーム２の厚さとほぼ等しくなるように設定されている。
一方、係合部５１ｃの係合面部５１２の先端部分には、基部５ａに向かって内側に折れ曲がるように係合爪５１ｄが形成されている。
【００３１】
本実施の形態においては、同一形状の仕切り部材５が本体フレーム２に複数個配置される。この場合、各仕切り部５ｂの係合端部５０ｂは、本体フレーム２の収容部２Ａの開口部２Ｂに配置されるようになっている。
【００３２】
フレームカバー６は、例えばＡＢＳ（アクリロニトリル・ブタジエン・スチレン）樹脂等からなり、図２、図３又は図４（ｂ）に示すように、長尺の平板形状に形成されている。フレームカバー６の一方の面の両側縁部には、フレームカバー６の長辺方向に沿って延びるように突堤状の位置決め部６ｂが形成されている。この位置決め部６ｂは、フレームカバー６の両縁に対して若干内側の部位に配置されている。
【００３３】
また、フレームカバー６の位置決め部６ｂ側の面には、断面略Ｃ字状の略丸フック形状の係合部６ａが、所定の間隔で２個配置されている。ここで、各係合部６ａは、フレームカバー６の長手方向と平行に形成されている。
【００３４】
ここで、フレームカバー６の大きさは、本体フレーム２の収容部２Ａの開口した部分の面積より若干大きく、かつ、本体フレーム２の基部２ａとほぼ同一の大きさに形成されている。また、各係合部６ａの間隔は、仕切り部材５の各仕切り部５ｂの間隔と同一に設定されている。そして、各係合部６ａの内側の係合溝６０ａは、各仕切り部５ｂの係合端部５０ｂより若干大きくなるように形成されている。
【００３５】
かかる構成を有する本実施の形態のコンベヤフレーム１においては、図４（ａ）に示すように、例えば電気配線９の引き回し作業を行う作業者が仕切り部材５を本体フレーム２に取り付ける。
【００３６】
この場合、作業者は、仕切り部材５の各係合部５１ｃ、５２ｃの係合面部５１２、５２２の先端部分を下向きにして、各係合部５１ｃ、５２ｃを本体フレーム２のそれぞれに対応する係合孔２１ａ、２２ａに挿入し、仕切り部材５の基部５ａを本体フレーム２の基部２ａに当接させる。
【００３７】
その状態で、作業者は、仕切り部材５を鉛直下向きにスライドさせる。これにより、係合部５１ｃの係合面部５１２が、係合孔２１ａと係合孔２２ａとの間に位置する基部２ａの係合部分２ａ1に当接した状態で、係合部５１ｃの連結部５１１が、基部２ａの係合部分２ａ1の上端部分に突き当たる。
【００３８】
また、同様に、係合部５２ｃの係合面部５２２が、係合孔２２ａと曲げ部２ｂとの間に位置する基部２ａの係合部分２ａ2に当接した状態で、係合部５２ｃの連結部５２１が基部２ａの係合部分２ａ2の上端部分に突き当たる。そして、仕切り部材５の係合部５１ｃの係合爪５１ｄが、基部２ａの係合部分２ａ1の下縁部分と係合することによって仕切り部材５が本体フレーム２に係止される。
【００３９】
以下、同様に、作業者は、本体フレーム２の各係合孔２０ａに、所定数の仕切り部材５を取り付ける。
図４（ｂ）に示すように、本体フレーム２の収容部２Ａは、仕切り部材５の各仕切り部５ｂによって３個のほぼ均等な収容部２１Ａ、２２Ａ、２３Ａに仕切られている。
【００４０】
作業者は、例えば３本の電気配線９（９１、９２、９３）を本体フレーム２の長手方向に沿った状態で本体フレーム２の収容部２Ａ内に収容する。
【００４１】
この場合、作業者は、３本の電気配線９１、９２、９３を、各収容部２１Ａ、２２Ａ、２３Ａに例えば一本ずつ振り分け、本体フレーム２の収容部２Ａの空間内に均等に配分する。
【００４２】
図３に示すように、電気配線９１、９２、９３は、本体フレーム２の収容部２Ａからはみ出さずに張られた状態で、仕切り部材５の各仕切り部５ｂ又は本体フレーム２の下側の曲げ部２ｂ上に載置される。
【００４３】
そして、図３又は図４（ｂ）に示すように、作業者は、フレームカバー６の係合部６ａ及び位置決め部６ｂを本体フレーム２の収容部２Ａに向け、フレームカバー６の各位置決め部６ｂを本体フレーム２の各曲げ部２ｂの先端部分に位置決めしながら、フレームカバー６の各係合部６ａを仕切り部材５の各仕切り部５ｂの係合端部５０ｂに押し付けて係合させる。
【００４４】
これにより、フレームカバー６の各位置決め部６ａが本体フレーム６の各曲げ部２ｂの先端縁部に当接して係合するとともに、仕切り部材５の各仕切り部５ｂの係合端部５０ｂがレームカバー６の各係合部６ａの係合溝６０ａに嵌合し、図３に示すように、フレームカバー６が本体フレーム２の収容部６Ａを塞いだ状態で本体フレーム２に係止される。
【００４５】
以上述べたように本実施の形態によれば、仕切り部材５を本体フレーム２の収容部２Ａ内に配置するように構成したことから、電気配線９をたるませることなく本体フレーム２の収容部２Ａに配置することができ、また、その状態でフレームカバー６を本体フレーム２に係合させることによって、フレームカバー６が電気配線９と接触することなくフレームカバー６を円滑に装着することができる。
【００４６】
特に、仕切り部材５の仕切り部５ｂの先端縁部に、フレームカバー６と係合可能な係合端部５０ｂを設けたことから、フレームカバー６の係合部６ａと仕切り部材５の仕切り部５ｂの係合端部５０ｂとの係合が電気配線９から離れた位置で行われ、これによりフレームカバー６の係合をより円滑に行うことができる。
【００４７】
このように本実施の形態によれば、電気配線９の収容及びフレームカバー６の装着作業を円滑に行うことができ、ひいてはコンベヤの施設作業性を向上させることができる。
【００４８】
また、本実施の形態の場合は、本体フレーム２には係合孔２０ａを設けるだけでよく、しかも本体フレーム２が例えば搬送経路Ａに沿って円弧状に曲げられる場合において、本体フレーム２を容易に加工することができる。
【００４９】
さらに、本実施の形態によれば、フレームカバー６を薄く構成することができるため、本体フレーム２が例えば搬送経路Ａに沿って円弧状に曲げられる場合であっても、フレームカバー６を容易に装着することができる。
【００５０】
さらに、本実施の形態の本体フレーム２を従来のように断面略Ｃ字形状にせずに断面略コ字状にしたことから、本体フレーム２をその長手方向に曲げる場合にその加工が容易であるとともに曲げ精度が向上する。そのため、本実施の形態によれば、本体フレーム２の曲げた部分と搬送ローラ３との位置精度を向上させることが可能になる。
【００５１】
なお、本発明は上述の実施の形態に限られることなく、種々の変更を行うことができる。
例えば、本体フレームの収容部の容積や電気配線の外径に応じて、仕切り部材の仕切り部の数を増減したり、仕切り部材の仕切り部の長さを伸縮することができる。
【００５２】
また、仕切り部材の係合部及び本体フレームの係合孔の形状、並びに、仕切り部材の仕切り部の係合端部及びフレームカバーの係合部の形状は、装着容易で円滑に係合できる形状であれば、上述の実施の形態に限られることなく種々の変更が可能である。
さらにまた、本発明のコンベヤフレームは、ローラコンベヤだけではなく、例えば、ベルトコンベヤ、チェーンコンベヤ等の種々のコンベヤに適用しうるものである。
【００５３】
【発明の効果】
以上述べたように本発明によれば、電気配線の収容及びフレームカバーの装着作業を円滑に行うことができ、ひいてはコンベヤの施設作業性を向上させることができる。
【図面の簡単な説明】
【図１】本実施の形態のコンベヤフレームを有するローラコンベヤの要部概略構成を示す斜視図である。
【図２】本実施の形態のコンベヤフレームの内部概略構成を示す斜視図である。
【図３】同コンベヤフレームの内部構成を示す断面図である。
【図４】（ａ）：同コンベヤフレームにおいて本体フレームに取り付ける仕切り部材の概略構成及びその工程を説明するための図である。
（ｂ）：同コンベヤフレームにおいて本体フレームに装着するフレームカバーの概略構成及びその工程を説明するための図である。
【図５】（ａ）：従来のコンベヤフレームを有するローラコンベヤの要部概略構成を示す斜視図である。
（ｂ）：従来のローラコンベヤフレームに電気配線が収納されている状態を示す断面説明図である。
【符号の説明】
１                              コンベヤフレーム
２                              本体フレーム
２Ａ（２１Ａ、２２Ａ、２３Ａ）  収容部
２Ｂ                            開口部
２０ａ（２１ａ、２２ａ）        係合孔
３                              搬送ローラ
５                              仕切り部材
５ｂ                            仕切り部
５ｃ（５１ｃ、５２ｃ）          係合部
６                              フレームカバー
６ａ                            係合部
９                              電気配線
【図１】
0004256521.tif 000002
【図２】
0004256521.tif 000003
【図３】
0004256521.tif 000004
【図４】
0004256521.tif 000005
【図５】
0004256521.tif 000006